(57)【要約】【課題】各種の機器類を天井に配設された梁に吊下げ支持する際に、支持位置の固定作業が容易となり、後事的に支持位置を簡単に変更できるようにする。【解決手段】天井に配設された梁Ｂに機器類Ｙをブラケット１で吊下げ支持する。ブラケット１は、門形に形成されて上部が梁Ｂの上面に支持され下部が機器類Ｙの上面に固定される。梁Ｂの上面と下面とに締付け固定される固定用部材２にブラケット１がボルト締めで固定される。【選択図】 図１
0003149751.tif 000002
【実用新案登録請求の範囲】
【請求項１】
天井に配設された梁に機器類をブラケットで吊下げ支持するものであって、ブラケットが門形に形成されて上部が梁の上面に支持され下部が機器類の上面に固定される吊下構造において、梁の上面と下面とに締付け固定される固定用部材にブラケットがボルト締めで固定されることを特徴とする吊下構造。
【請求項２】
請求項１の吊下構造において、固定用部材は梁の上面と下面とにそれぞれ当接されるアングルと両アングルに挿通される締付用ボルトと締付用ボルトに螺合される締付用ナットとからなることを特徴とする吊下構造。
【請求項３】
請求項１または２の吊下構造において、ブラケットまたは固定用部材はボルト締めのボルトが挿通される長軸が縦方向に設定された長孔が設けられていることを特徴とする吊下構造。
【請求項４】
請求項１〜３のいずれかの吊下構造において、ブラケットは梁に対する支持高さを調整する支持高調整部を備えていることを特徴とする吊下構造。
【考案の詳細な説明】
【技術分野】
【０００１】
本考案は、各種の機器類を天井に配設された梁に吊下げ支持する吊下構造に係る技術分野に属する。
【背景技術】
【０００２】
最近、各種の機器類が設置スペース等の関係で天井に支持されることが多くなってきている。機器類を天井に支持する場合、安全性の面から支持が強固であることが必要になる。このため、機器類を天井に強固に支持する技術の開発が要望されている。
【０００３】
従来、機器類を天井に強固に支持することを指向した技術としては、例えば、以下に記載のものが知られている。
【先行技術文献】
【特許文献】
【０００４】
【特許文献１】特開２００４−２２２９６４号公報
【０００５】
特許文献１には、天井に配設された梁に機器類をブラケットで吊下げ支持する吊下構造が記載されている。ブラケットは、門形に形成されて上部が梁の上面に支持され下部（足部）が機器類の上面に固定されるようになっている。
【０００６】
特許文献１に係る吊下構造は、機器類を吊下げた門形のブラケットを梁に跨がせて不測の離脱を防止することで、機器類の強固な支持を構成しようとするものである。
【考案の概要】
【考案が解決しようとする課題】
【０００７】
特許文献１に係る吊下構造では、梁がコ字形の型鋼である場合に、梁とブラケットとの間にアングルを介在させ溶接して支持位置を固定することが行われるため、支持位置の固定作業が面倒であるとともに後事的に支持位置を簡単に変更することができないという問題点がある。
【０００８】
本考案は、このような問題点を考慮してなされたもので、各種の機器類を天井に配設された梁に吊下げ支持する際に、支持位置の固定作業が容易で後事的に支持位置を簡単に変更することのできる吊下構造を提供することを課題とする。
【課題を解決するための手段】
【０００９】
前述の課題を解決するため、本考案に係る吊下構造は、実用新案登録請求の範囲の各請求項に記載の手段を採用する。
【００１０】
即ち、本考案に係る吊下構造は、天井に配設された梁に機器類をブラケットで吊下げ支持するものであって、ブラケットが門形に形成されて上部が梁の上面に支持され下部が機器類の上面に固定される吊下構造において、梁の上面と下面とに締付け固定される固定用部材にブラケットがボルト締めで固定されることを特徴とする。
【００１１】
この手段では、ブラケットを梁に締付け固定される固定用部材にボルト締めで固定することで、ブラケット，梁を溶接することなく固定する。
【００１２】
また、本考案に係る吊下構造において、固定用部材は梁の上面と下面とにそれぞれ当接されるアングルと両アングルに挿通される締付用ボルトと締付用ボルトに螺合される締付用ナットとからなることを特徴とする。
【００１３】
この手段では、固定用部材がアングル，締付用ボルト，締付用ナットの簡素な構造で構成される。
【００１４】
また、本考案に係る吊下構造において、ブラケットまたは固定用部材にボルト締めのボルトが挿通される長軸が縦方向に設定された長孔が設けられていることを特徴とする。
【００１５】
この手段では、長孔にボルト締めのボルトが挿通されることで、ブラケット，固定用部材の縦方向の連結位置の調整が可能になる。
【００１６】
また、本考案に係る吊下構造において、ブラケットは梁に対する支持高さを調整する支持高調整部を備えていることを特徴とする。
【００１７】
この手段では、ブラケットの支持高調整部を操作することで、機器類の吊下げの支持高さの調整が可能になる。
【考案の効果】
【００１８】
本考案に係る吊下構造は、ブラケットを梁に締付け固定される固定用部材にボルト締めで固定することで、ブラケット，梁を溶接することなく固定するため、各種の機器類を天井に配設された梁に吊下げ支持する際に、支持位置の固定作業が容易で後事的に支持位置を簡単に変更することができる効果がある。
また、固定用部材がアングル，締付用ボルト，締付用ナットの簡素な構造で構成されるため、低コストで実現することができる。また、ブラケットまたは固定用部材にボルト締めのボルトが挿通される長軸が縦方向に設定された長孔を設けることで、ブラケット，固定用部材の縦方向の連結位置の調整ができる。さらに、ブラケットは梁に対する支持高さを調整する支持高調整部を備えることで、機器類の吊下げの支持高さの調整ができる。
【図面の簡単な説明】
【００１９】
【図１】本考案に係る吊下構造を実施するための形態の斜視図である（一部拡大図を含む）。
【図２】図１の要部の拡大された分解斜視図である。
【図３】図１の要部の拡大された側面断面図である。
【考案を実施するための形態】
【００２０】
以下、本考案に係る吊下構造を実施するための形態を図面に基づいて説明する。
【００２１】
この形態では、食器等を収容したコンテナを消毒保管する設備の熱源ユニットからなる機器類Ｙをコ字形の型鋼からなる梁Ｂに吊下げ支持するのに好適なものを示してある。なお、この熱源ユニットからなる機器類Ｙは、ボックス形の本体部Ｙａの上部に取付用フレームＹｂが取付けられている。
【００２２】
この形態は、図１に示すように、機器類Ｙをブラケット１，固定用部材２で梁Ｂに吊下げ支持する。
【００２３】
ブラケット１は、図２に詳細に示されるように、鋼板等で門形に形成されてなるもので、１対の側板１１の上部に桟板１２が掛渡される格好で固着され、桟板１２に支持高調整部１３が取付けられている。
【００２４】
ブラケット１の側板１１は、機器類Ｙの取付用フレームＹｂの上面に当接する基部１１ａからＬ字形に脚部１１ｂが立上げられ、基部１１ａ，脚部１１ｂにそれぞれＬ字形に屈曲された基部補強部１１ｃ，脚部補強部１１ｄが形成されている。基部１１ａのほぼ中央には、機器類Ｙの取付用フレームＹｂに挿通された吊ボルト３が挿通されるボルト孔１１ｅが穿孔されている。脚部補強部１１ｄの上部には、固定用部材２に挿通する連結ボルト４が挿通される長軸が縦方向に設定された長孔１１ｆが穿孔されている。
【００２５】
ブラケット１の桟板１２は、梁Ｂの上面に対面することになる基部１２ａにＬ字形に屈曲された基部補強部１２ｂが形成されている。基部１２ａのほぼ中央には、支持高調整部１３が取付けられるネジ孔１２ｃが穿孔されている。
【００２６】
ブラケット１の支持高調整部１３は、桟板１２のネジ孔１２ｃに螺合されて梁Ｂの上面に突当てられる調整ボルト１３ａと、調整ボルト１３ａに螺合されて桟板１２の基部１２ａの下面に当接されるロックナット１３ｂとからなる。
【００２７】
固定用部材２は、図２に詳細に示されるように、梁Ｂの上面と下面とに当接される鋼板等で形成された１対のアングル２１と、両アングル２１を締付ける締付用ボルト２２，締付用ナット２３，ワッシャ２４とからなる。
【００２８】
固定用部材２のアングル２１は、梁Ｂの上面と下面とに当接される基部２１ａにそれぞれＬ字形に屈曲された基部補強部２１ｂが形成されている。基部２１ａには、梁Ｂの幅に相当する間隔を介して締付用ボルト２２が挿通されるボルト孔２１ｃが穿孔されている。梁Ｂの上面に配置されるアングル２１の基部補強部２１ｂには、ブラケット１の側板１１の長孔１１ｆの間隔に対応した間隔で前述の連結ボルト４が挿通されるボルト孔２１ｄが穿孔されている。
【００２９】
固定用部材２の締付用ボルト２２は、梁Ｂの上面と下面との間隔の軸長を有し、梁Ｂの上面に配置されるアングル２１側からワッシャ２４を介して挿通され、梁Ｂの下面に配置されるアングル２１側でワッシャ２４を介して締付用ナット２３が螺合される。この締付用ナット２３については、緩みを防止するために、締付ナット，ロックナットのダブルナットとするのが好ましい。
【００３０】
この形態について取付工事するには、まず、ブラケット１を梁Ｂの上面から跨ぐように設置しておき、機器類Ｙの取付用フレームＹｂにワッシャ５を介して挿通された吊ボルト３をブラケット１の側板１１のボルト孔１１ｅに挿通し、吊ボルト３にワッシャ５を介してナット６を螺合させる。このナット６については、緩みを防止するために、締付ナット，ロックナットのダブルナットとするのが好ましい。この結果、ナット６がブラケット１の側板１１の基部１１ａを締付けて基部１１ａと機器類Ｙの取付用フレームＹｂとを密着させ、機器類Ｙがブラケット１に吊下げ支持される。
【００３１】
この後、複数個のブラケット１の支持高調整部１３をそれぞれ調整して、機器類Ｙの梁Ｂに対する支持高さ（水平出しを含む）を調整する。この結果、機器類Ｙの適正な支持姿勢を実現することができる。
【００３２】
続いて、固定用部材２を梁Ｂに締付け固定する。このとき、梁Ｂの上面に配置される固定用部材２のアングル２１の基部補強部２１ｂをブラケット１の側板１１の脚部補強部１１ｄに当接させる。
【００３３】
最後に、ブラケット１の側板１１の長孔１１ｆにワッシャ５を介して連結ボルト４を挿通し、連結ボルト４をさらに梁Ｂの上面に配置される固定用部材２のアングル２１のボルト孔２１ｄに挿通して、連結ボルト４にワッシャ５を介してナット６を螺合させる。この結果、梁Ｂに締付け固定されている固定用部材２にブラケット１がボルト締めで固定されて、機器類Ｙの支持位置が固定される。なお、ブラケット１の側板１１の長孔１１ｆは、ブラケット１，固定用部材２の間の寸法誤差，取付誤差を吸収して固定用部材２のアングル２１のボルト孔２１ｄとの孔合わせ容易にする。
【００３４】
この形態によると、溶接作業が不要でボルト締め作業のみで取付工事することができるため、取付工事の全般についても機器類Ｙの支持位置の固定作業についても容易となる。特に、ブラケット１，固定用部材２の周囲を汚損することになる溶接作業を行わないため、取付工事の後にブラケット１，固定用部材２の周囲の大掛かりな塗装、清掃を行わなくても衛生環境を確保することができる。
【００３５】
この形態の吊下げ状態では、機器類Ｙ，ブラケット１，固定用部材２が部分的に面で当接され当接部分でボルト締めされているため、強固な連結が構成されて強固な吊下げ支持が実現される。特に、ブラケット１の側板１１の基部補強部１１ｃ，脚部補強部１１ｄや桟板１２の基部補強部１２ｂや固定用部材２のアングル２１の基部補強部２１ｂが各部の補強に寄与する。
【００３６】
この形態の吊下げの支持位置については、前述のボルト締めを緩めることによって簡単に変更が可能である。
【００３７】
以上、図示した形態の外に、機器類Ｙとして、食器等を収容したコンテナを消毒保管する設備の熱源ユニット以外のものを対象とすることが可能である。
【００３８】
さらに、梁Ｂがコ字形の型鋼以外の場合にも適用することが可能である。
【００３９】
さらに、機器類Ｙが軽量である場合には、ブラケット１，固定用部材２の材料として合成樹脂材を選択することも可能である。
【符号の説明】
【００４０】
１            ブラケット
２            固定用部材
３            吊ボルト
４            連結ボルト
５            ワッシャ
６            ナット
１１          側板
１１ａ        基部
１１ｂ        脚部
１１ｃ        基部補強部
１１ｄ        脚部補強部
１１ｅ        ボルト孔
１１ｆ        長孔
１２          桟板
１２ａ        基部
１２ｂ        基部補強部
１２ｃ        ネジ孔
１３          支持高調整部
１３ａ        調整ボルト
１３ｂ        ロックナット
２１          アングル
２１ａ        基部
２１ｂ        基部補強部
２１ｃ        ボルト孔
２１ｄ        ボルト孔
２２          締付用ボルト
２３          締付用ナット
２４          ワッシャ
Ｂ            梁
Ｙ            機器類
Ｙａ          本体部
Ｙｂ          取付用フレーム
【図１】
0003149751.tif 000003
【図２】
0003149751.tif 000004
【図３】
0003149751.tif 000005